(57)【要約】【課題】既設の欄間付き窓を欄間のない窓に容易に改装することができる改装サッシ及び改装サッシの施工方法を提供すること。【解決手段】建物の開口部に取り付けられる既設枠１１０、２１０、３１０、４１０と、既設枠の内周側に取り付けられるベース材１３０、２３０、３３０、４３０と、既設枠の内周側を覆うようにベース材に取り付けられる新設枠１２０、２２０、３２０、４２０と、を備え、既設枠は、左右一対の既設縦枠３１０、４１０を有すると共に、既設縦枠は、無目６００が切断された後の無目切断痕部６０１を有し、ベース材は、既設縦枠の内周側に対して、無目切断痕部と干渉しない位置に取り付けられる。【選択図】図２
2019152001.tif 000002
【特許請求の範囲】
【請求項１】
建物の開口部に取り付けられる既設枠と、前記既設枠の内周側に取り付けられるベース材と、前記既設枠の内周側を覆うように前記ベース材に取り付けられる新設枠と、を備える改装サッシであって、
前記既設枠は、左右一対の既設縦枠を有すると共に、前記既設縦枠は、無目が切断された後の無目切断痕部を有し、
前記ベース材は、前記既設縦枠の内周側に対して、前記無目切断痕部と干渉しない位置に取り付けられている、改装サッシ。
【請求項２】
前記既設枠は、既設上枠を有すると共に、前記既設上枠は、前記無目との間に設けられる吊束が切断された後の吊束切断痕部を有し、
前記ベース材は、前記既設上枠の内周側に対して、前記吊束切断痕部と干渉しない位置に取り付けられている、請求項１に記載の改装サッシ。
【請求項３】
建物の開口部に取り付けられる既設枠の内周側にベース材を取り付けた後、前記既設枠の内周側を覆うように前記ベース材に新設枠を取り付ける改装サッシの施工方法であって、
前記既設枠は、左右一対の既設縦枠に亘る無目を有し、前記無目を、前記既設縦枠に無目切断痕部を残して切断した後、前記既設縦枠の内周側に対して、前記無目切断痕部と干渉しない位置に前記ベース材を取り付ける、改装サッシの施工方法。
【請求項４】
前記既設枠は、既設上枠に前記無目との間に亘る吊束を有し、前記吊束を、前記既設上枠に吊束切断痕部を残して切断した後、前記既設上枠の内周側に対して、前記吊束切断痕部と干渉しない位置に前記ベース材を取り付ける、請求項３に記載の改装サッシの施工方法。
【発明の詳細な説明】
【技術分野】
【０００１】
本発明は、建物に設けられている既設窓を改装するための改装サッシ及び改装サッシの施工方法に関する。
【背景技術】
【０００２】
従来、既設の窓を改装する方法として、カバー工法が採用されている。このカバー工法によって改装された改装サッシでは、建物の開口部に取り付けられた既設枠に対して、その内周側を覆うように新設枠が取り付けられる（例えば、特許文献１参照）。
【０００３】
ところで、左右の縦枠に亘って無目と呼ばれる横材を有する欄間付き窓が知られている。既設の窓を改装する場合においても、このような欄間付き窓を欄間のない大開口の窓に改装することが要望されている。
【先行技術文献】
【特許文献】
【０００４】
【特許文献１】特開２０１６−９４７７１号公報
【発明の概要】
【発明が解決しようとする課題】
【０００５】
しかしながら、欄間付き窓を欄間のない窓に改装する場合、無目を切断する必要がある。このとき、無目を切断した後に無目切断痕部が既設縦枠の内面に突出するように残存し、これが新設枠を取り付ける際に支障となる場合があった。
【０００６】
そこで、本発明は、既設の欄間付き窓を欄間のない窓に容易に改装することができる改装サッシ及び改装サッシの施工方法を提供することを目的とする。
【課題を解決するための手段】
【０００７】
（１）  本発明に係る改装サッシは、建物の開口部に取り付けられる既設枠（例えば、後述の既設上枠１１０、既設下枠２１０、既設縦枠３１０、４１０）と、前記既設枠の内周側に取り付けられるベース材（例えば、後述の上枠ベース材１３０、下枠ベース材２３０、縦枠ベース材３３０、４３０）と、前記既設枠の内周側を覆うように前記ベース材に取り付けられる新設枠（例えば、後述の新設上枠１２０、新設下枠２２０、新設縦枠３２０、４２０）と、を備える改装サッシ（例えば、後述の改装サッシ１）であって、前記既設枠は、左右一対の既設縦枠（例えば、後述の既設縦枠３１０、４１０）を有すると共に、前記既設縦枠は、無目（例えば、後述の無目６００）が切断された後の無目切断痕部（例えば、後述の無目切断痕部６０１）を有し、前記ベース材（例えば、後述の縦枠ベース材３３０、４３０）は、前記既設縦枠の内周側に対して、前記無目切断痕部と干渉しない位置に取り付けられている。
【０００８】
（２）  （１）に記載の改装サッシにおいて、前記既設枠は、既設上枠（例えば、後述の既設上枠１１０）を有すると共に、前記既設上枠は、前記無目との間に設けられる吊束（例えば、後述の吊束７００）が切断された後の吊束切断痕部（例えば、後述の吊束切断痕部７０１）を有し、前記ベース材（例えば、後述の上枠ベース材１３０）は、前記既設上枠の内周側に対して、前記吊束切断痕部と干渉しない位置に取り付けられていることが好ましい。
【０００９】
（３）  本発明に係る改装サッシの施工方法は、建物の開口部に取り付けられる既設枠（例えば、後述の既設上枠１１０、既設下枠２１０、既設縦枠３１０、４１０）の内周側にベース材（例えば、後述の上枠ベース材１３０、下枠ベース材２３０、縦枠ベース材３３０、４３０）を取り付けた後、前記既設枠の内周側を覆うように前記ベース材に新設枠（例えば、後述の新設上枠１２０、新設下枠２２０、新設縦枠３２０、４２０）を取り付ける改装サッシ（例えば、後述の改装サッシ１）の施工方法であって、前記既設枠は、左右一対の既設縦枠（例えば、後述の既設縦枠３１０、４１０）に亘る無目（例えば、後述の無目６００）を有し、前記無目を、前記既設縦枠に無目切断痕部（例えば、後述の無目切断痕部６０１）を残して切断した後、前記既設縦枠の内周側に対して、前記無目切断痕部と干渉しない位置に前記ベース材を取り付ける。
【００１０】
（４）  （３）に記載の改装サッシの施工方法において、前記既設枠は、既設上枠（例えば、後述の既設上枠１１０）に前記無目との間に亘る吊束（例えば、後述の吊束７００）を有し、前記吊束を、前記既設上枠に吊束切断痕部（例えば、後述の吊束切断痕部７０１）を残して切断した後、前記既設上枠の内周側に対して、前記吊束切断痕部と干渉しない位置に前記ベース材を取り付けることが好ましい。
【発明の効果】
【００１１】
本発明は、既設の欄間付き窓を欄間のない窓に容易に改装することができる改装サッシ及び改装サッシの施工方法を提供することができる。
【図面の簡単な説明】
【００１２】
【図１】本発明の一実施形態に係る改装サッシを屋外側から見た正面図である。
【図２】図１に示す改装サッシの縦断面図である。
【図３】図１に示す改装サッシを下枠側から上枠側に向けて見た横断面図である。
【図４】図２に示す改装サッシの上枠部分の拡大縦断面図である。
【図５】図２に示す改装サッシの下枠部分の拡大縦断面図である。
【図６】図３に示す改装サッシの一方の縦枠部分の拡大横断面図である。
【図７】図３に示す改装サッシの他方の縦枠部分の拡大横断面図である。
【発明を実施するための形態】
【００１３】
以下、本発明の一実施形態について、図面を参照して詳しく説明する。
図１は、本発明の一実施形態に係る改装サッシの正面図であり、図２は、図１に示す改装サッシの縦断面図であり、図３は、図１に示す改装サッシを下枠側から上枠側に向けて見た横断面図である。図４は、図２に示す改装サッシの上枠部分の拡大縦断面図であり、図５は、図２に示す改装サッシの下枠部分の拡大縦断面図である。図６は、図３に示す改装サッシの一方の縦枠部分の拡大横断面図であり、図７は、図３に示す改装サッシの他方の縦枠部分の拡大横断面図である。
【００１４】
図１に示すように、本発明に係る改装サッシ１は、建物の開口部に納められた引違い窓タイプの改装サッシである。改装サッシ１は、上枠１００と、下枠２００と、左右一対の縦枠３００、４００により矩形に枠組みされた窓枠１０と、この窓枠１０にスライド可能に納められる障子２０、２０と、を備える。
【００１５】
図２、図４に示すように、上枠１００は、既設上枠１１０と、新設上枠１２０と、上枠ベース材１３０と、を含んで構成される。
【００１６】
既設上枠１１０は、建物の開口部の上側部に取り付けられており、下方に向けて立設される既設障子用のガイドレール１１１ａ、１１１ｂを有する。既設上枠１１０の屋内側は、建物の開口部の内周面に四周に亘って設けられた額縁部材５００に固定されている。
【００１７】
新設上枠１２０は、上枠ベース材１３０を間に挟んで、既設上枠１１０の内周側に取り付けられる。新設上枠１２０は、下方に向けて立設される障子２０、２０用のガイドレール１２１ａ、１２１ｂを有する。
【００１８】
上枠ベース材１３０は、既設上枠１１０と新設上枠１２０との間に配置される。上枠ベース材１３０は、既設上枠１１０の長さに比べて十分に短い長さに形成された金属製の板状部材からなり、上枠ベース材１３０の裏面に設けられるブラケット１３１によって、既設上枠１１０のガイドレール１１１ａ、１１１ｂに取り付けられる。上枠ベース材１３０は、既設上枠１１０の長さ方向に間隔をおいて複数取り付けられる。これにより、各上枠ベース材１３０は、既設上枠１１０の内周側（下側）に、新設上枠１２０のための略平坦な取付け面を形成する。新設上枠１２０は、この上枠ベース材１３０の表面（下面）に対して取り付けられる。
【００１９】
図２、図５に示すように、下枠２００は、既設下枠２１０と、新設下枠２２０と、下枠ベース材２３０と、を含んで構成される。
【００２０】
既設下枠２１０は、建物の開口部の下側部に取り付けられており、上方に向けて立設される既設障子用のガイドレール２１１ａ、２１１ｂを有する。既設下枠２１０の屋内側は、額縁部材５００に固定されている。
【００２１】
新設下枠２２０は、下枠ベース材２３０を間に挟んで、既設下枠２１０の内周側に取り付けられる。新設下枠２２０は、上方に向けて立設される障子２０、２０用のガイドレール２２１ａ、２２１ｂを有する。
【００２２】
なお、この改装サッシ１において、新設上枠１２０のガイドレール１２１ａ、１２１ｂと新設下枠２２０のガイドレール２２１ａ、２２１ｂとに亘って、引違い用の２枚の障子２０、２０がスライド可能に納められるが、図２〜図７において、障子２０の図示は省略した。
【００２３】
下枠ベース材２３０は、既設下枠２１０と新設下枠２２０との間に配置される。下枠ベース材２３０は、２枚の障子２０、２０の荷重を受けるため、下枠２００の長さ方向に亘って延びる金属製の板状部材からなる。下枠ベース材２３０の屋外側は、既設下枠２１０の屋外側のガイドレール２１１ａ上に載置され、屋内側は、ブラケット２３１によって既設下枠２１０の屋内側のガイドレール２１１ｂに取り付けられている。これにより、下枠ベース材２３０は、既設下枠２１０の内周側（上側）に、新設下枠２２０のための略平坦な取付け面を形成する。新設下枠２２０は、この下枠ベース材２３０の表面（上面）に対して取り付けられる。
【００２４】
図３、図６、図７に示すように、左右の縦枠３００、４００は、既設縦枠３１０、４１０と、新設縦枠３２０、４２０と、縦枠ベース材３３０、４３０と、を含んで構成される。なお、図２では、既設縦枠４１０の内周側に設けられる新設縦枠４２０の図示を省略している。
【００２５】
既設縦枠３１０、４１０は、建物の開口部の屋外側の左右縦側部にそれぞれ取り付けられている。既設縦枠３１０、４１０は、内側に向けて突出する複数のフィン３１１ａ、３１１ｂ、４１１ａ、４１１ｂ、４１１ｃを有する。既設縦枠３１０、４１０の屋内側は、建物の開口部に設けられた額縁部材５００に固定されている。
新設縦枠３２０、４２０は、縦枠ベース材３３０、４３０を間に挟んで、既設縦枠３１０、４１０の内周側に取り付けられる。
【００２６】
縦枠ベース材３３０、４３０は、既設縦枠３１０、４１０と新設縦枠３２０、４２０との間に配置される。縦枠ベース材３３０、４３０は、それぞれ新設縦枠３２０、４２０の長さに比べて十分に短い長さに形成された金属製の板状部材からなる。縦枠ベース材３３０、４３０は、既設縦枠３１０、４１０の長さ方向に間隔をおいて、既設縦枠３１０、４１０の内周側に複数取り付けられる。これにより、各縦枠ベース材３３０、４３０は、既設縦枠３１０、４１０の内周側に、新設縦枠３２０、４２０のための略平坦な取付け面を形成する。新設縦枠３２０、４２０は、この縦枠ベース材３３０、４３０の表面に対して取り付けられる。
【００２７】
縦枠ベース材３３０、４３０の取付け構造について更に説明する。
先ず、縦枠ベース材３３０、４３０の屋外側は、既設縦枠３１０、４１０に設けられた最も屋外側のフィン３１１ａ、４１１ａを利用して既設縦枠３１０、４１０に取り付けられる。即ち、縦枠ベース材３３０、４３０の屋外側の裏面には、これらのフィン３１１ａ、４１１ａを挟むように平行に立設される一対の取付け片３３１、４３１を有する。
【００２８】
取付け片３３１、４３１の間には、フィン３１１ａ、４１１ａを挟んだ状態で、縦枠ベース材３３０、４３０の表面側から、フィン３１１ａ、４１１ａ及び取付け片３３１、４３１の立設方向に沿って取付けねじ３３２、４３２がねじ込まれている。これにより、取付け片３３１、４３１（本実施形態では取付け片３３１、４３１の屋外側の取付け片の内面）と取付けねじ３３２、４３２との間でフィン３１１ａ、４１１ａが挟持され、縦枠ベース材３３０、４３０の屋外側が既設縦枠３１０、４１０に固定される。
【００２９】
一方、縦枠ベース材３３０、４３０の屋内側は、ブラケット３３３、４３３によって既設縦枠３１０、４１０の内周面に固定される。
【００３０】
以上の構成を備える窓枠１０は、上枠１００、下枠２００及び左右の縦枠３００、４００により矩形に枠組みされる。これにより、改装サッシ１の新設枠（新設上枠１２０、新設下枠２２０及び新設縦枠３２０、４２０）は、各ベース材１３０、２３０、３３０、４３０を介して、既設枠（既設上枠１１０、既設下枠２１０及び既設縦枠３１０、４１０）の内周側を覆うように取り付けられる。
【００３１】
本実施形態に示す窓枠１０において、新設上枠１２０、新設下枠２２０及び新設縦枠３２０、４２０は、アルミ等の金属材からなるが、これら新設上枠１２０、新設下枠２２０及び新設縦枠３２０、４２０の屋内側に、それぞれ樹脂アングル部材１５０、２５０、３５０、４５０を有する。これにより、窓枠１０は断熱性を有する。
【００３２】
樹脂アングル部材１５０、２５０、３５０、４５０は、それぞれ額縁部材５００との間に間隔を有して配置され、それぞれアングルカバー１５１、２５１、３５１、４５１が装着されている。また、アングルカバー１５１、２５１、３５１、４５１と額縁部材５００の内周面との境目は、額縁部材５００に固定されるＬ型の見切り材１５２、２５２、３５２、４５２によって遮蔽されている。
【００３３】
本実施形態に示す既設枠（既設上枠１１０、既設下枠２１０及び既設縦枠３１０、４１０）は、図１において一点鎖線で示すように、左右の縦枠３００、４００（既設縦枠３１０、４１０）に亘る横材である無目６００と、上枠１００（既設上枠１１０）と無目６００とに亘る吊束７００を有していた欄間付き窓の枠体である。この無目６００及び吊束７００は、改装サッシ１の施工に際し、新設枠（新設上枠１２０、新設下枠２２０及び新設縦枠３２０、４２０）及び各ベース材（上枠ベース材１３０、下枠ベース材２３０、縦枠ベース材３３０、４３０）を既設枠に取り付ける前に切断される。
【００３４】
無目６００及び吊束７００の切断においては、既設縦枠３１０、４１０及び既設上枠１１０との接続部分が全く残らないように切断することが困難である。このため、無目６００の切断後には、既設縦枠３１０、４１０の内周面である見込み面３１０ａ、４１０ａ（図２では既設縦枠４１０の見込み面４１０ａのみを示す。）に、無目６００の外形形状に沿って所定高さで突出する無目切断痕部６０１が、新設縦枠３２０、４２０と干渉しない程度の高さで残存する。
【００３５】
無目切断痕部６０１は、図６、図７に示すように、既設縦枠３１０、４１０の見込み面３１０ａ、４１０ａから、額縁部材５００の内周面５００ａと同じ高さか、内周面５００ａよりもやや内周側に突出し、縦枠ベース材３３０、４３０と同じ程度の高さまで突出するように残存する。この無目切断痕部６０１の内側には、フィン３１１ａが存在していない。
【００３６】
また、吊束７００の切断後には、既設上枠１１０の内周面である見込み面１１０ａに、吊束７００の外形形状に沿って所定高さで突出する吊束切断痕部７０１が、新設上枠１１０と干渉しない程度の高さで残存する。
【００３７】
吊束切断痕部７０１は、図２、図４に示すように、既設上枠１１０の見込み面１１０ａから、額縁部材５００の内周面５００ａと同じ高さか、内周面５００ａよりもやや内周側に突出し、上枠ベース材１３０と近接する程度の高さまで突出するように残存する。
【００３８】
改装サッシ１の施工においては、このように無目切断痕部６０１及び吊束切断痕部７０１が残存するように、既設縦枠３１０、４１０から無目６００及び吊束７００が切断された後、既設縦枠３１０、４１０の内周側に上枠ベース材１３０、下枠ベース材２３０、縦枠ベース材３３０、４３０がそれぞれ取り付けられる。
【００３９】
ここで、図２に示すように、既設縦枠３１０、４１０に取り付けられる縦枠ベース材３３０、４３０は、既設縦枠３１０、４１０に残存する無目切断痕部６０１と干渉しない位置に取り付けられる（図２では縦枠ベース材４３０のみを示す。）。本実施形態では、縦枠ベース材３３０、４３０は、無目切断痕部６０１よりも下方（下枠２００側）に位置し、ブラケット３３３、４３３を含めて、無目切断痕部６０１とは全く干渉していない。
【００４０】
このように、縦枠ベース材３３０、４３０が無目切断痕部６０１と全く干渉しない位置に取り付けられることにより、既設縦枠３１０、４１０の内周側に対して、縦枠ベース材３３０、４３０を安定して取り付けることができる。しかも、縦枠ベース材３３０、４３０が無目切断痕部６０１の位置を避けて配置されることにより、縦枠ベース材３３０、４３０の屋外側を、取付け片３３１、４３１によって既設縦枠３１０、４１０のフィン３１１ａ、４１１ａに固定することができる。その結果、縦枠ベース材３３０、４３０は、既設縦枠３１０、４１０の内周側で、新設縦枠３２０、４２０を安定的に支持することができるようになる。
【００４１】
また、既設上枠１１０に取り付けられる上枠ベース材１３０は、図３に示すように、既設上枠１１０に残存する吊束切断痕部７０１と干渉しない位置に取り付けられる。本実施形態では、上枠ベース材１３０は、吊束切断痕部７０１の位置を避けて、吊束切断痕部７０１よりも既設縦枠３１０又は４１０側に片寄って配置され、ブラケット１３１を含めて、吊束切断痕部７０１とは全く干渉していない。
【００４２】
このように、上枠ベース材１３０も吊束切断痕部７０１と全く干渉しない位置に取り付けられることにより、既設上枠１１０の内周側に対して上枠ベース材１３０を安定して取り付けることができる。しかも、上枠ベース材１３０が吊束切断痕部７０１を避けて配置されることにより、上枠ベース材１３０を、ブラケット１３１によって既設上枠１１０のガイドレール１１１ａ、１１１ｂに対して固定することができる。その結果、上枠ベース材１３０は、新設上枠１２０を安定的に支持することができるようになる。
【符号の説明】
【００４３】
１  改装サッシ
１１０  既設上枠（既設枠）
１２０  新設上枠（新設枠）
１３０  上枠ベース材（ベース材）
２１０  既設下枠（既設枠）
２２０  新設下枠（新設枠）
３１０、４１０  既設縦枠（既設枠）
３２０、４２０  新設縦枠（新設枠）
３３０、４３０  縦枠ベース材（ベース材）
６００  無目
６０１  無目切断痕部
７００  吊束
７０１  吊束切断痕部
【図１】
2019152001.tif 000003
【図２】
2019152001.tif 000004
【図３】
2019152001.tif 000005
【図４】
2019152001.tif 000006
【図５】
2019152001.tif 000007
【図６】
2019152001.tif 000008
【図７】
2019152001.tif 000009